(57)【要約】【課題】ずり下がりを防止し、かつ、自律神経系の働きを阻害することもない優れた着用感を与えるバンドおよび該バンドを備えた衣類を提供する。【解決手段】ウエスト位置に装着される１〜５ｃｍの幅を有するジャストウエスト用のバンドであって、該バンドの幅をｘ（ｃｍ）としたときの着圧ｙ(ｈＰａ)の値が、下記計算式（Ａ）で導かれる値を上限値とし下記計算式（Ｂ）で導かれる値を下限値とした範囲内にあることを特徴とするバンド。  計算式（Ａ）  ｙ＝−２．５ｘ＋２１．５計算式（Ｂ）  ｙ＝−１．５ｘ＋１３．５【選択図】図１
2008088597.tif 000002
【特許請求の範囲】
【請求項１】
ウエスト位置に装着される１〜５ｃｍの幅を有するジャストウエスト用のバンドであって、
該バンドの幅をｘ（ｃｍ）としたときの着圧ｙ(ｈＰａ)の値が、下記計算式（Ａ）で導かれる値を上限値とし下記計算式（Ｂ）で導かれる値を下限値とした範囲内にあることを特徴とするバンド。
計算式（Ａ）  ｙ＝−２．５ｘ＋２１．５
計算式（Ｂ）  ｙ＝−１．５ｘ＋１３．５
【請求項２】
ウエスト位置より下方で腰骨以上の間に装着される１〜５ｃｍの幅を有するローライズ用のバンドであって、
該バンドの幅をｘ（ｃｍ）としたときの着圧ｙ（ｈＰａ）の値が、下記計算式（Ｃ）で導かれる値を上限値とし下記計算式（Ｄ）で導かれる値を下限値とした範囲内にあることを特徴とするバンド。
計算式（Ｃ）  ｙ＝−２．５ｘ＋２３．５
計算式（Ｄ）  ｙ＝−１．５ｘ＋１５．５
【請求項３】
パンティストッキング、タイツあるいはパンティからなる衣類の上縁部に設けられている請求項１または請求項２に記載のバンド。
【請求項４】
本体布に縫着される別布からなるバンド、本体布と連続させて高緊締力を付与した編成部からなるバンド、あるいは、本体布の端末に縁取りゴムを取り付けて形成したバンドからなる請求項１乃至請求項３のいずれか１項に記載のバンド。
【請求項５】
請求項１乃至請求項４のいずれか1項に記載のバンドを備えた衣類。
【発明の詳細な説明】
【技術分野】
【０００１】
本発明は、バンドおよび該バンドを備えた衣類に関し、詳しくは、前記バンドの締め付けによって自律神経系の働きを阻害することがなく、かつ、ずり下がりも効果的に防止できるものである。
【背景技術】
【０００２】
パンティストッキング等の衣類着用時における快適性は、着用状態での締め付け力を示す着圧と大きく関係しており、本出願人は、例えば、特許２８２２０９０号公報（特許文献１）において、土踏まず部、足首部、ふくらはぎ部、大腿部における着圧をそれぞれ４０〜５７ｇｆ／ｃｍ２、２７〜４３ｇｆ／ｃｍ２、２０〜３２ｇｆ／ｃｍ２、１９〜２９ｇｆ／ｃｍ２の範囲に設定し、土踏まず部から大腿部に至るに従って順次その着圧を低くした着用感に優れたパンティストッキングを提案している。
【０００３】
一方、パンティストキングやタイツ、ガードル等にはずり下がり防止のために、ウエスト位置にバンドが取り付けられているものが多い。また、近年、バンドが腰骨位置付近に取り付けられているローライズ用のパンティストッキング等も普及し、ずり下がり防止は一層重要になっている。しかし、ずり下がり防止のために前記バンドの着圧を単に高く設定するだけでは、その締め付け力により自律神経系の働きを阻害して着用感が悪化してしまう場合がある。したがって、ずり下がりを防止し、かつ、締め付けによって着用者の自律神経系の働きを阻害することもない優れた着用感を与えるバンドが求められている。
しかしながら、前記特許文献１ではバンドについて特に考慮されておらず、前記したような問題点を改善するバンドに関しては改良の余地が残されている。
【０００４】
【特許文献１】特許２８２２０９０号公報
【発明の開示】
【発明が解決しようとする課題】
【０００５】
本発明は前記問題に鑑みてなされたものであり、ずり下がりを防止し、かつ、自律神経系の働きを阻害することもない優れた着用感を与えるバンドおよび該バンドを備えた衣類を提供することを課題としている。
【課題を解決するための手段】
【０００６】
前記課題を解決するため、第一の発明は、ウエスト位置に装着される１〜５ｃｍの幅を有するジャストウエスト用のバンドであって、
該バンドの幅をｘ（ｃｍ）としたときの着圧ｙ(ｈＰａ)の値が、下記計算式（Ａ）で導かれる値を上限値とし下記計算式（Ｂ）で導かれる値を下限値とした範囲内にあることを特徴とするバンドを提供している。
計算式（Ａ）  ｙ＝−２．５ｘ＋２１．５
計算式（Ｂ）  ｙ＝−１．５ｘ＋１３．５
【０００７】
前記のように、１〜５ｃｍの幅を有するジャストウエスト用のバンドにおいて、該バンドの幅をｘ（ｃｍ）としたときの着圧ｙ(ｈＰａ)の上限値を、計算式（Ａ）ｙ＝−２．５ｘ＋２１．５で導かれる値とすることにより、前記バンドの締め付けによって交感神経を過度に活発化させることがなく、交感神経と副交感神経からなる自律神経系の働きを安定させたストレスフリーな状態とすることができる。また、該バンドの幅をｘ（ｃｍ）としたときの着圧ｙ(ｈＰａ)の上限値を、前記計算式（Ａ）で導かれる値とすることにより、該バンドを備えた衣類を長時間着用した場合でも特に強い圧迫感を与えることがなく、着用者の疲労を軽減することができる。したがって、前記バンドを締め付けた状態においても、リラックスした状態が長時間維持され、快適な着用感を得ることができる。
【０００８】
また、前記のように、１〜５ｃｍの幅を有するジャストウエスト用のバンドにおいて、該バンドの幅をｘ（ｃｍ）としたときの着圧ｙ(ｈＰａ)の下限値を、計算式（Ｂ）ｙ＝−１．５ｘ＋１３．５で導かれる値とすることにより、該バンドを備えた衣類を着用して屈伸動作等を繰り返しても、前記衣類のずり下がり量を許容できる程度（ずり下がり量が１．３ｃｍ以下）の範囲内に抑えることができ、快適な着用感を維持することができる。
【０００９】
例えば、３ｃｍの幅を有するジャストウエスト用のバンドでは、その着圧を９〜１４ｈＰａに設定し、５ｃｍの幅を有するジャストウエスト用のバンドは、その着圧を６〜９ｈＰａに設定している。
【００１０】
なお、本発明における着圧としては、エアパックによる圧力測定装置［(株)エイエムアイ・テクノ製、組込み型圧力センサ「パラソル型エアパック」］を用い、人体に対する衣服圧との換算係数を設定して測定された値としている。
【００１１】
第二の発明は、ウエスト位置より下方で腰骨以上の間に装着される１〜５ｃｍの幅を有するローライズ用のバンドであって、
該バンドの幅をｘ（ｃｍ）としたときの着圧ｙ（ｈＰａ）の値が、下記計算式（Ｃ）で導かれる値を上限値とし下記計算式（Ｄ）で導かれる値を下限値とした範囲内にあることを特徴とするバンドを提供している。
計算式（Ｃ）  ｙ＝−２．５ｘ＋２３．５
計算式（Ｄ）  ｙ＝−１．５ｘ＋１５．５
【００１２】
ウエスト位置より下方で腰骨以上の間に装着されるローライズ用のバンドでは、ジャストウエスト用のバンドよりずり下がりやすいため、ジャストウエスト用のバンドの着圧よりも高い着圧が必要となるが、前記のように、１〜５ｃｍの幅を有するローライズ用のバンドにおいて、該バンドの幅をｘ（ｃｍ）としたときの着圧ｙ(ｈＰａ)の上限値を、計算式（Ｃ）ｙ＝−２．５ｘ＋２３．５で導かれる値とすることにより、前記バンドの締め付けによって交感神経活動を過度に活発化させることなく、交感神経と副交感神経とからなる自律神経系の働きを安定させたストレスフリーな状態とすることができる。また、該バンドの幅をｘ（ｃｍ）としたときの着圧ｙ(ｈＰａ)の上限値を、前記計算式（Ｃ）で導かれる値とすることにより、該バンドを備えた衣類を長時間着用した場合でも特に強い圧迫感を与えることがなく、着用者の疲労を軽減することができる。したがって、前記バンドを締め付けた状態においても、リラックスした状態を維持することができ、快適な着用感を得ることができる。
【００１３】
また、前記のように、１〜５ｃｍの幅を有するローライズ用のバンドにおいて、該バンドの幅をｘ（ｃｍ）としたときの着圧ｙ(ｈＰａ)の下限値を、計算式（Ｄ）ｙ＝−１．５ｘ＋１５．５で導かれる値とすることにより、該バンドを備えた衣類を着用して屈伸動作等を繰り返しても、前記衣類のずり下がり量を許容できる程度（ずり下がり量が１．１ｃｍ以下）の範囲内に抑えることができ、快適な着用感を維持することができる。
【００１４】
例えば、３ｃｍの幅を有するローライズ用のバンドでは、その着圧を１１〜１６ｈＰａに設定し、５ｃｍの幅を有するローライズ用のバンドは、その着圧を８〜１１ｈＰａに設定している。
【００１５】
前記ジャストウエスト用またはローライズ用のバンドは、パンティストッキング、タイツあるいはパンティからなる衣類の上縁部に設けられていることが好ましい。
前記パンティストッキングは、パンティ部の上縁部に前記バンドが設けられると共に、前記パンティ部の下部にレッグ部を連続させている薄手タイプのものであり、前記タイツは、前記構成を有した厚手タイプのものである。また、前記パンティは、上縁部に前記バンドを設けたパンティ部からなるものである。
【００１６】
前記バンドは、本体布に縫着される別布からなるバンド、本体布と連続させて高緊締力を付与した編成部からなるバンド、あるいは、本体布の端末に縁取りゴムを取り付けて形成したバンドからなることが好ましい。
特に、前記バンドを備えたパンティストッキングあるいはタイツの場合、バンドはパンティ部の本体編み部分に連続させて、高緊締力を付与した編成部から形成されることが好ましく、前記編成部としては、例えば、ウーリーナイロン糸（ナイロン糸に嵩高性を付与したもの）にポリウレタン弾性糸（ベア糸：カバー糸で覆われていない裸糸）を添え、かかる素材により全コースをプレーン編組織により編成したものや、前記ベア糸を用いることなく、全コースにポリウレタン弾性糸を芯糸としナイロン糸をカバリング糸としたシングルカバリングヤーンやダブルカバリングヤーンを用いて編成したもの等が挙げられる。
また、薄地化、着用快適性を高めるために、例えば、４コースを１サイクルとして編成すると共に、前記４コースに供給される４本の糸のうち、２本または３本を生糸（例えば、ナイロン糸、その他、合成繊維糸などの紡糸されたままの糸）とし、残りをカバリング糸（シングルカバリングヤーンまたはダブルカバリングヤーン）として、４コースのうち３コースをプレーン編、1コースをタック編で編成したものも挙げられる。
また、前記バンドを設けたパンティの場合、バンドは本体布の端末に縁取りゴムを取り付けて形成することが好ましいが、特にこれに限定されるものではない。
【００１７】
さらに、第三の発明では、前記バンドを備えた衣類を提供している。該衣類としては、例えば、前記したようなパンティストッキング、タイツ、あるいは、パンティの他、ガードル、スパッツ等も挙げられるが、前記バンドを備えたものであれば、前記衣類に限定されるものではない。
【発明の効果】
【００１８】
前述したように、第一の発明によれば、１〜５ｃｍの幅を有するジャストウエスト用のバンドにおいて、該バンドの幅をｘ（ｃｍ）としたときの着圧ｙ(ｈＰａ)の上限値を、計算式（Ａ）ｙ＝−２．５ｘ＋２１．５で導かれる値とすることにより、前記バンドの締め付けによって交感神経活動を過度に活発化させることなく、交感神経と副交感神経からなる自律神経系の働きを安定させてストレスフリーな状態とすることができると共に、前記バンドを備えた衣類を長時間着用した場合でも特に強い圧迫感を与えることがないため、着用者の疲労を軽減することができる。したがって、前記バンドを締め付けた状態においても、リラックスした状態が長時間維持され、快適な着用感を得ることができる。
また、前記のように、１〜５ｃｍの幅を有するジャストウエスト用のバンドにおいて、該バンドの幅をｘ（ｃｍ）としたときの着圧ｙ(ｈＰａ)の下限値を、計算式（Ｂ）ｙ＝−１．５ｘ＋１３．５で導かれる値とすることにより、該バンドを備えた衣類を着用して屈伸動作等を繰り返しても、前記衣類のずり下がり量を許容できる程度（ずり下がり量が１．３ｃｍ以下）の範囲内に抑えることができるため、快適な着用感を維持することができる。
【００１９】
また、前述のように、第二の発明によれば、１〜５ｃｍの幅を有するローライズ用のバンドにおいて、該バンドの幅をｘ（ｃｍ）としたときの着圧ｙ(ｈＰａ)の上限値を、計算式（Ｃ）ｙ＝−２．５ｘ＋２３．５で導かれる値とすることにより、前記バンドの締め付けによって交感神経活動を過度に活発化させることなく、交感神経と副交感神経とからなる自律神経系の働きを安定化させてストレスフリーな状態とすることができると共に、該バンドを備えた衣類を長時間着用した場合でも特に強い圧迫感を与えることがないため、着用者の疲労を軽減することができる。したがって、前記バンドを締め付けた状態においても、リラックスした状態を維持することができ、快適な着用感を得ることができる。
また、前記のように、１〜５ｃｍの幅を有するローライズ用のバンドにおいて、該バンドの幅をｘ（ｃｍ）としたときの着圧ｙ(ｈＰａ)の下限値を、計算式（Ｄ）ｙ＝−１．５ｘ＋１５．５で導かれる値とすることにより、該バンドを備えた衣類を着用して屈伸動作等を繰り返しても、前記衣類のずり下がり量を許容できる程度の範囲内（ずり下がり量が１．１ｃｍ以下）に抑えることができ、快適な着用感を維持することができる。
【発明を実施するための最良の形態】
【００２０】
以下、本発明の実施形態を図面を参照して説明する。
図１は、第１実施形態における、ウエスト位置に装着されるジャストウエスト用のバンド１２を備えたパンティストッキング１０を示している。パンティストッキング１０は、パンティ部１１の上縁部にバンド１２を設けると共に、パンティ部１１の下部に連続するレッグ部１３を設けており、前記構成のパンティストッキング１０は、靴下編機（図示せず）によって連続的に編成している。
【００２１】
バンド１２は、２７〜３３デシテックスのナイロン生糸と、１６〜２２デシテックスのカバリングヤーンとを用いて、４コースを１サイクルとして編成している。前記４コースに供給する糸のうち２本または３本を前記ナイロン生糸、残りを前記シングルカバリングヤーンとすると共に、前記４コースのうち、３コースをプレーン編、１コースを１×１組織のタック編で編成し、前記タック編には、前記ナイロン生糸を用いている。
また、バンド１２の幅は、前記４コース１サイクルの組織を繰り返して３ｃｍとし、その着圧を９〜１４ｈＰａに設定している。なお、前記着圧の上限値１４ｈＰａは、計算式（Ａ）ｙ＝−２．５ｘ＋２１．５にｘ＝３を代入して得られる値であり、前記着圧の下限値９ｈＰａは、計算式（Ｂ）ｙ＝−１．５ｘ＋１３．５にｘ＝３を代入して得られる値である。
【００２２】
一方、パンティ部１１は、バンド１２と近づけた編組織とするために、４コースを１サイクルとして編成し、前記４コースに供給される４本の糸のうち、２本または３本をナイロン生糸、残りをシングルカバリングヤーンとしている。また、パンティ部１１は、図１に示すように、前側（腹部）１１ａをメッシュ編、後側（ヒップ部）１１ｂをプレーン編とし、パンティ部１１の前側（腹部）１１ａのメッシュ編は、前記のように４コースを１サイクルとして編成すると共に、前記４コースのうち、１コース目をプレーン編、２コース目をタック編（１×１組織）の交互組織の４コース編とし、前記タック編には、前記ナイロン生糸を用いている。
【００２３】
また、レッグ部１３は、パンティ部１１の下部に連続して４コースを１サイクルとして編成し、使用する糸や組織は、例えば、カバリング糸を中心としてゾッキ編などとし、また、必要に応じて、柄編などの変化組織や補強糸の添え糸編などを適用することもできる。
【００２４】
前記構成によれば、３ｃｍの幅を有するジャストウエスト用のバンド１２において、バンド１２の着圧を９〜１４ｈＰａとしているので、図２に示すように、無圧時の交感神経活動を１とした場合に対する、前記着圧を有するバンド１２着用時の交感神経活動を示す値が、無圧時と同程度の０．８〜１であることからも明らかなように、交感神経を活発化させることなく、自律神経系の働きを安定化させることができる。また、バンド１２を備えたパンティストッキング１０を長時間着用した場合でも、特に強い圧迫感を感じさせることがなく、着用者の疲労を軽減することができる。したがって、バンド１２を締め付けた状態においても、リラックスした状態が長時間維持され、快適な着用感を得ることができる。
【００２５】
また、前記したように、バンド１２の着圧の下限を９ｈＰａとすることにより、バンド１２を備えたパンティストッキング１０を着用して屈伸動作を繰り返しても、バンド１２の背面側のずり下がり量を許容範囲である１．３ｃｍ以内に抑えることができ、快適な着用感を維持することができる。
【００２６】
第２実施形態では、バンド１２の幅を５ｃｍとし、バンド１２の着圧を６〜９ｈＰａとした点以外は、第１実施形態と同様とした。
なお、前記着圧の上限値９ｈＰａは、計算式（Ａ）ｙ＝−２．５ｘ＋２１．５にｘ＝５を代入して得られる値であり、前記着圧の下限値６ｈＰａは、計算式（Ｂ）ｙ＝−１．５ｘ＋１３．５にｘ＝５を代入して得られる値である。
【００２７】
前記構成によれば、５ｃｍの幅を有するジャストウエスト用のバンド１２において、バンド１２の着圧を６〜９ｈＰａとしているので、図３に示すように、無圧時の交感神経活動を１とした場合に対する、前記着圧を有するバンド１２着用時の交感神経活動を示す値が、無圧時と同程度の０．９前後であることからも明らかなように、交感神経を活発化させることなく、自律神経系の働きを安定化させることができる。また、バンド１２を備えたパンティストッキング１０を長時間着用した場合でも強い圧迫感を感じさせることがなく、着用者の疲労を軽減することができる。したがって、バンド１２を締め付けた状態においても、適度にリラックスした状態が長時間維持され、快適な着用感を得ることができる。
【００２８】
また、前記したように、バンド１２の着圧の下限を６ｈＰａとするとことにより、バンド１２を備えたパンティストッキング１０を着用して屈伸動作を繰り返しても、バンド１２の背面側のずり下がり量を許容範囲である１．３ｃｍ以内に抑えることができ、快適な着用感を維持することができる。
【００２９】
図４は、第３実施形態における、腰骨位置に装着されるローライズ用のバンドを備えたパンティストッキング３０を示している。第１実施形態のパンティストッキング１０と同様、本実施形態のパンティストッキング３０も、パンティ部３１の上縁部にバンド３２を設けると共に、パンティ部３１の下部に連続するレッグ部３３を設けており、前記構成のパンティストッキング３０は、靴下編機（図示せず）によって連続的に編成している。
【００３０】
本実施形態のローライズ用のバンド３２の編組織および編成に用いる編み糸は第１実施形態のバンド１２と同様とし、バンド３２の幅も第１実施形態と同様に３ｃｍとする一方、バンド３２の着圧は１１〜１６ｈＰａと、ジャストウエスト用のバンド１２より高く設定している。なお、前記着圧の上限値１６ｈＰａは、計算式（Ｃ）ｙ＝−２．５ｘ＋２３．５にｘ＝３を代入して得られる値であり、前記着圧の下限値１１ｈＰａは、計算式（Ｄ）ｙ＝−１．５ｘ＋１５．５にｘ＝３を代入して得られる値である。
また、パンティ部３１の編組織および編成に用いる編み糸も第１実施形態のパンティ部１１と同様とする一方、本実施形態のパンティ部１１の縦方向の長さは、ジャストウエスト用のパンティ部１１より短くしている。
レッグ部３３の編組織および編成に用いる編み糸は第１実施形態のレッグ部１３と同様としている。
【００３１】
前記構成によれば、３ｃｍの幅を有するローライズ用のバンド３２において、バンド３２の着圧を１１〜１６ｈＰａとしているので、図５に示すように、無圧時の交感神経活動を１とした場合に対する、前記着圧を有するバンド３２着用時の交感神経活動を示す値が、無圧時と同程度の０．８〜１であることからも明らかなように、交感神経を活発化させることなく、自律神経系の働きを安定化させることができる。また、バンド３２を備えたパンティストッキング３０を長時間着用した場合でも特に強い圧迫感を感じさせることがなく、着用者の疲労を軽減することができる。したがって、バンド３２を締め付けた状態においても、リラックスした状態が長時間維持され、快適な着用感を得ることができる。
【００３２】
また、前記したように、バンド３２の着圧の下限を１１ｈＰａとすることにより、バンド３２を備えたパンティストッキング３０を着用して屈伸動作を繰り返しても、バンド３２の背面側のずり下がり量を許容範囲である１．１ｃｍ以内に抑えることができ、快適な着用感を維持することができる。
【００３３】
第４実施形態では、バンド３２の幅を５ｃｍとし、バンド３２の着圧を８〜１１ｈＰａとした点以外は、第３実施形態と同様とした。
なお、前記着圧の上限値１１ｈＰａは、計算式（Ｃ）ｙ＝−２．５ｘ＋２３．５にｘ＝５を代入して得られる値であり、前記着圧の下限値８ｈＰａは、計算式（Ｄ）ｙ＝−１．５ｘ＋１５．５にｘ＝５を代入して得られる値である。
【００３４】
前記構成によれば、５ｃｍの幅を有するローライズ用のバンド３２において、バンド３２の着圧を８〜１１ｈＰａとしているので、図６に示すように、無圧時の交感神経活動を１とした場合に対する、前記着圧を有するバンド３２着用時の交感神経活動を示す値が、無圧時と同程度の１前後であることからも明らかなように、交感神経を活発化させることなく、自律神経系の働きを安定化させることができる。また、バンド３２を備えたパンティストッキング３０を長時間着用した場合でも強い圧迫感を感じさせることがなく、着用者の疲労を軽減することができる。したがって、バンド３２を締め付けた状態においても、リラックスした状態が長時間維持され、快適な着用感を得ることができる。
【００３５】
また、前記したように、バンド３２の着圧の下限を８ｈＰａとすることにより、バンド３２を備えたパンティストッキング３０を着用して屈伸動作等を繰り返しても、バンド３２の背面側のずり下がり量を許容範囲である１．１ｃｍ以内に抑えることができ、快適な着用感を維持することができる。
【００３６】
以下、本発明の実施例１〜８について詳述する。
［実施例１〜８］
表１に示すような、バンド装着位置、バンド幅、バンド着圧のそれぞれ異なるパンティストッキングを試作し、試作品を着用した場合のずり下がり量測定および自律神経系阻害の有無の評価を行った。なお、各試作品のパンティストッキングは、前記第１〜第４実施形態と同様の編成によって作製した。
た。
【００３７】
（ずり下がり量測定）
被験者に各試作品を着用してもらい、着用直後のバンド位置（背面側）が認識できるように被験者の体にマークを付した後、被験者に屈伸を１０回連続して行ってもらい、各試作品のバンドがマークした位置からどれだけずり下がっているかを測定した。
【００３８】
（自律神経系阻害の有無の評価）
副交感神経が優位の場合、即ちリラックス状態である場合には、心拍変動が大きくなるため、各試作品を着用している時に、自律神経系が阻害されずリラックスした状態であるかどうかを判断するために心拍変動（ＣＶ−ＲＲ）を測定した。心拍変動測定は、まず、未着用時の心拍変動を安静状態で５分間測定した後、被験者に試作品を着用してもらい、着用５分経過後から安静状態で５分間心拍変動を測定して、着用時の心拍変動と未着用時との心拍変動の比較を行った。
【００３９】
表１では、着用時の心拍変動が未着用時より増加した場合には、心拍変動の欄に「増加」と表示しており、この場合には、未着用時よりも着用時の方がリラックス状態にあり、着用によって自律神経系が阻害されていないことを示している。
【００４０】
【表１】
2008088597.tif 000003
【００４１】
表１より、実施例１、２の試作品では、幅３ｃｍのジャストウエスト用のバンドの着圧を９〜１４ｈＰａの範囲内に設定しているので、ずり下がり量はいずれも１．０ｍｍ未満で、ずり下がり許容範囲である１．３ｃｍを大きく下回ると共に、心拍変動も未着用時より増加してリラックスした状態である、即ち、着用によって自律神経系の働きが阻害されていないことが明らかになった。
また、実施例３〜５の試作品では、幅５ｃｍのジャストウエスト用のバンドの着圧を６〜９ｈＰａの範囲内に設定しているので、ずり下がり量はいずれもずり下がり許容範囲である１．３ｃｍ以下に抑えられると共に、心拍変動も未着用時より増加してリラックスした状態であることが明らかになった。
【００４２】
さらに、実施例６、７の試作品では、幅３ｃｍのローライズ用のバンドの着圧を１１〜１６ｈＰａの範囲内に設定しているので、ずり下がり量はいずれもずり下がり許容範囲である１．１ｃｍ以下に抑えられると共に、心拍変動も未着用時より増加してリラックスした状態であることが明らかになった。
また、実施例８の試作品では、幅５ｃｍのローライズ用のバンドの着圧を８〜１１ｈＰａの範囲内に設定しているので、ずり下がり量はずり下がり許容範囲である１．１ｃｍ未満に抑えられると共に、心拍変動も未着用時より増加してリラックスした状態であることが明らかになった。
【図面の簡単な説明】
【００４３】
【図１】第1実施形態におけるジャストウエストのパンティストッキングの側面図である。
【図２】幅３ｃｍのジャストウエスト用バンドの着圧を変化させたときの交感神経活動を示すグラフである。
【図３】幅５ｃｍのジャストウエスト用バンドの着圧を変化させたときの交感神経活動を示すグラフである。
【図４】第３実施形態におけるローライズのパンティストッキングの側面図である。
【図５】幅３ｃｍのローライズ用バンドの着圧を変化させたときの交感神経活動を示すグラフである。
【図６】幅５ｃｍのローライズ用バンドの着圧を変化させたときの交感神経活動を示すグラフである。
【符号の説明】
【００４４】
１０、３０  パンティストッキング
１１、３１  パンティ部
１２、３２  バンド
１３、３３  レッグ部
【図１】
2008088597.tif 000004
【図２】
2008088597.tif 000005
【図３】
2008088597.tif 000006
【図４】
2008088597.tif 000007
【図５】
2008088597.tif 000008
【図６】
2008088597.tif 000009